(57)【要約】【課題】裏面材で配線収納部を完全に閉鎖し、配線および配線を接続するカシメ部の内部収納を可能とした床暖房パネルを提供すること。【解決手段】基材２に凹状のヒータ収納部および配線収納部１５が形成され、配線収納部は、床暖房パネル１の表面近くに配置された第１の部分１５ａと表面から離れて配置された第２の部分１５ｂを有する段状に形成され、第１の部分に電源供給配線１３と送り配線９とを接続するカシメ部１４が収納され、第２の部分に電源供給配線および送り配線が収納され、基材の裏面側に、ヒータ収納部とともに配線収納部を完全に閉鎖する裏面材１６が配設されている。【選択図】図１
2010255927.tif 000002
【特許請求の範囲】
【請求項１】
基材の表面に表面材が配設され、内部に電熱式のヒータが組み込まれている床暖房パネルにおいて、基材には、裏面側からの彫り込み加工によって凹状のヒータ収納部および配線収納部が形成され、ヒータ収納部にヒータが収納され、配線収納部にヒータの電源供給配線および送り配線が収納され、配線収納部は、床暖房パネルの表面近くに配置された第１の部分と表面から離れて配置された第２の部分を有する段状に形成され、配線収納部の第１の部分に電源供給配線と送り配線とを接続するカシメ部が収納され、第２の部分に電源供給配線および送り配線が収納され、基材の裏面側に、ヒータ収納部とともに配線収納部を完全に閉鎖する裏面材が配設されていることを特徴とする床暖房パネル。
【請求項２】
配線収納部の第１の部分は、平面形状の面積が最小となるような、カシメ部の外形に沿った形状を有していることを特徴とする請求項１に記載の床暖房パネル。
【請求項３】
裏面材は厚さ２．０ｍｍ以上であることを特徴とする請求項１または２に記載の床暖房パネル。
【発明の詳細な説明】
【技術分野】
【０００１】
本発明は、床暖房パネルに関する。
【背景技術】
【０００２】
下記特許文献１に記載している床暖房パネルは、部屋の床に敷設されて床暖房を実現するものである。
【０００３】
床暖房パネルには、内蔵した電熱式のヒータに電源を供給する電源供給配線と、隣接する２つの床暖房パネル同士において一方から他方に送電する送り配線とが配設される。これらの電源供給配線および送り配線、ならびに電源供給配線と送り配線とを接続するカシメ部は、加熱面積を最大限大きく取るために、床暖房パネルでは端部に寄せて収納されている。このために、床暖房パネルの裏面側には、ヒータを収納するヒータ収納部に加え、配線収納用の配線収納部が、彫り込み加工によって凹状に形成されている。
【０００４】
電源供給配線および送り配線を接続するカシメ部の厚さは、一般に、収納する配線の束の厚みよりも大きく、したがって、図５に示したように、床暖房パネル２１の裏面を形成する裏面材２２は、配線収納部２３を覆うように配設することができない。その結果、配線２４およびカシメ部２５が配線収納部２３の外側にはみ出すことがあり、施工時などに配線２４やカシメ部２５が傷付いたり、床暖房パネル２１を固定する接着剤が配線２４やカシメ部２５に付着したりする虞がある。
【先行技術文献】
【特許文献】
【０００５】
【特許文献１】特開２００７−３１５０７１号公報
【発明の概要】
【発明が解決しようとする課題】
【０００６】
本発明は、以上のとおりの事情に鑑みてなされたものであり、裏面材で配線収納部を完全に閉鎖し、配線および配線を接続するカシメ部の内部収納を可能とした床暖房パネルを提供することを課題としている。
【課題を解決するための手段】
【０００７】
本発明は、上記の課題を解決するために、以下の特徴を有している。
【０００８】
第１の発明は、基材の表面に表面材が配設され、内部に電熱式のヒータが組み込まれている床暖房パネルにおいて、基材には、裏面側からの彫り込み加工によって凹状のヒータ収納部および配線収納部が形成され、ヒータ収納部にヒータが収納され、配線収納部にヒータの電源供給配線および送り配線が収納され、配線収納部は、床暖房パネルの表面近くに配置された第１の部分と表面から離れて配置された第２の部分を有する段状に形成され、配線収納部の第１の部分に電源供給配線と送り配線とを接続するカシメ部が収納され、第２の部分に電源供給配線および送り配線が収納され、基材の裏面側に、ヒータ収納部とともに配線収納部を完全に閉鎖する裏面材が配設されていることを特徴としている。
【０００９】
第２の発明は、上記第１の発明の特徴において、配線収納部の第１の部分は、平面形状の面積が最小となるような、カシメ部の外形に沿った形状を有していることを特徴としている。
【００１０】
第３の発明は、上記第１または第２の発明の特徴において、裏面材は厚さ２．０ｍｍ以上であることを特徴としている。
【発明の効果】
【００１１】
上記第１の発明によれば、基材に裏面側の彫り込み加工によって凹状に形成された配線収納部において、床暖房パネルの表面近くに配置された第１の部分に電源供給配線と送り配線とを接続するカシメ部が収納され、表面から離れて配置された第２の部分に電源供給配線および送り配線が収納されるので、裏面材により配線収納部を完全に閉鎖することができ、電源供給配線および送り配線ならびにこれらの配線を接続するカシメ部の内部収納が可能となる。施工時などにおける配線およびカシメ部の傷付きや接着剤の付着などの問題が解消される。また、配線収納部の彫り込み深さは一様ではなく、第１の部分および第２の部分からなる深浅２つの段状に形成されているため、床暖房パネルの強度を十分に確保することができる。
【００１２】
上記第２の発明によれば、上記第１の発明の効果に加え、彫り込みの深い第１の部分の形成が最小限に抑えられ、床暖房パネルの強度をより一層十分に確保することができる。
【００１３】
上記第３の発明によれば、上記第１または第２の発明の効果に加え、裏面材は厚さ２．０ｍｍ以上のものであるので、電気用品安全法に規定されている、配線の芯材部分（充電部）からの空間絶縁距離２ｍｍという要件を満たすことができ、安全性に優れた実用的な床暖房パネルが提供される。
【図面の簡単な説明】
【００１４】
【図１】本発明の床暖房パネルの一実施形態を示した要部断面図である。
【図２】図１に示した床暖房パネルにおける基材を示した平面図である。
【図３】図１に示した床暖房パネルにおけるヒータを示した平面図である。
【図４】図１に示した床暖房パネルの施工について示した分解平面図である。
【図５】従来の床暖房パネルにおける配線収納部を示した要部平面図である。
【発明を実施するための形態】
【００１５】
図１−３に示した床暖房パネル１は、平面視が縦長長方形の形状を有する、合板などの木質の基材２の表面に突板、化粧シートなどの表面材３が配設された、一般の床材とほぼ同等の木目調の外観を有するものである。床暖房パネル１は、部屋の床に縦方向とともに横方向に敷設され、床を仕上げることができる。施工時には、隣接する床暖房パネル１同士は、基材２の長辺部および短辺部に形成された雄実４および雌実５による実結合によって相互に接合される。このため、基材２において対向する２つの長辺部および２つの短辺部では、一方に雄実４が、他方に雌実５が形成されている。
【００１６】
また、基材２には、ＰＴＣヒータ６の外形と略等しい形状および深さを有する凹状のヒータ収納部７が、裏面側からの彫り込み加工によって形成されている。床暖房パネル１では、ＰＴＣヒータ６が基材２のヒータ収納部７に収納されて内蔵され、ＰＴＣヒータ６の作動によって床暖房を実現する。ＰＴＣヒータ６は、ＰＴＣ（Positive Temperature Coefficient）特性、すなわち、温度が上昇すると抵抗が増大する正の温度特性を有する電熱式のヒータであり、厚みの薄いシート状に形成され、基材２とほぼ同様な縦長略長方形状を有している。ＰＴＣヒータ６において電極８は、長手方向に延び、対向する２つの長辺部のそれぞれに配設されている。また、電極８間に送り配線９が配設され、送り配線９は、ＰＴＣヒータ６の長手方向に延びている。床に敷設される床暖房パネル１は、施工時に、長手方向に隣接する２つの床暖房パネル１同士において、一方（前段）の床暖房パネル１から他方（後段）の床暖房パネル１へ送り配線９を通じて送電するように電気接続される。このような電気接続を行うために、送り配線９の２つの端部にはプラグ１０が配設されている。プラグ１０は、ホルダーとも称されるものであり、前段と後段の床暖房パネル１同士においてプラグ１０は、図４に示したように、コネクタ１１を介して接続される。プラグ１０は、床暖房パネル１の内部に収納されるようにしており、基材２には、図２に示したように、短辺側の端部に凹状の端子収納部１２ａ、１２ｂがそれぞれ形成されている。前段と後段の、隣接する２つの床暖房パネル１同士を電気接続する際には、端子収納部１２ａ、１２ｂからプラグ１０とともに送り配線９の端部を引き出し、プラグ１０同士をコネクタ１１を介して接続する。接続終了後には、プラグ１１を端子収納部１２ａ、１２ｂに収納する。端子収納部１２ｂは、コネクタ１１の収納も可能なように形成されており、コネクタ１１は端子収納部１２ｂに収納される。
【００１７】
なお、床暖房パネル１は、施工時に、電源の最も近くに位置する床暖房パネル１ａから順に接合し、電気接続するものである。床暖房パネル１ａの後段として接続する床暖房パネル１では、プラグ１０を、床暖房パネル１ａの送電側に位置するコネクタ１１ｂへの接続が可能とされている。コネクタ１１ｂは、床暖房パネル１ａの一方の短辺部に配設され、内蔵されている。また、床暖房パネル１ａでは、電源側との接続を可能とするコネクタ１１ａが、コネクタ１１ｂとは反対側の短辺部に配設され、内蔵されている。
【００１８】
また、図１−３に示した床暖房パネル１では、送り配線９の一端部に、ＰＴＣヒータ６に電源を供給する、電極８と接続された電源供給配線１３が、送り配線９に対し並列に接続されている。送り配線９においてプラグ１０が配設された端部は、ＰＴＣヒータ６の長辺側の一端部から内側に引き込まれ、電源供給配線１３との接続のために、プラグ１０の近くに位置するＰＴＣヒータ６の短辺側の一端部から外側に引き出されている。電源供給配線１３は、このようにＰＴＣヒータ６の外側に引き出された送り配線９の部分に一端が接続され、他端が電極８に接続されている。電源供給配線１３と送り配線９との接続部にはカシメ部１４が配設され、カシメ部１４において電源供給配線１３と送り配線９は接続されている。送り配線９および電源供給配線１３ともに２芯の電気コードが使用されているため、床暖房パネル１では、計２つのカシメ部１４が配設されている。
【００１９】
床暖房パネル１では、カシメ部１４とともに、カシメ部１４で接続している電源供給配線１３および送り配線９も内部に収納されている。そのために、基材２には、短辺側の一端部に配線収納部１５が、ヒータ収納部７と同様に裏面側からの彫り込み加工によって凹状に形成されている。カシメ部１４では、その厚みが電源供給配線１３および送り配線９の計３本の電気コードの束に比べて厚いことから、配線収納部１５は、基材２の裏面からの深さが異なる深浅２つの部位から形成されている。すなわち、彫り込み深さの深い第１の部分１５ａと浅い第２の部分１５ｂとから、配線収納部１５は段状に形成されている。第１の部分１５ａは、たとえば、総厚みが１２ｍｍである床暖房パネル１の場合、表面からの厚みが３．０ｍｍとして形成することができ、第２の部分１５ｂは、表面からの厚みとして３．５ｍｍとして形成することができる。このように、床暖房パネル１の表面近くに配置される、彫り込み深さの深い第１の部分１５ａにカシメ部１４が収納され、表面から離れて配置される、彫り込み深さの浅い第２の部分１５ｂに、電源供給配線１３および送り配線９の計３本の電気コードが収納される。また、床暖房パネル１では、カシメ部１４が２つ配設されていることから、配線収納部１５には第１の部分１５ａが２つ形成され、２つの第１の部分１５ａは、互いに重合しないように離して配置されている。第１の部分１５ａは、また、カシメ部１４の外形に沿った長円状に形成されている。第１の部分１５ａに収納されたカシメ部１４および第２の部分１５ｂに収納された電源供給配線１３および送り配線９は、基材２の厚み以内に収納される。
【００２０】
そして、床暖房パネル１では、基材２の裏面側に、紙、ベニア板などの、厚さ２．０ｍｍ以上の裏面材１６が配設されており、裏面材１６は、ヒータ収納部７とともに配線収納部１５を完全に閉鎖している。
【００２１】
上記のとおり、床暖房パネル１では、配線収納部１５において、表面近くに配置された、彫り込み深さの深い第１の部分１５ａに、電源供給配線１３と送り配線９とを接続する、厚みの厚いカシメ部１４が収納されている。また、表面から離れて配置された、彫り込み深さの浅い第２の部分１５ｂには、電源供給配線１３および送り配線９が収納されている。したがって、床暖房パネル１では、裏面材１６によって配線収納部１５を完全に閉鎖することができ、電源供給配線１３および送り配線９ならびにこれらの配線１３、９を接続するカシメ部１４の内部収納が可能となっている。このため、施工時などにおける配線１３、９およびカシメ部１４の傷付きや接着剤の付着などの問題が解消される。しかも、配線収納部１５では、彫り込み深さは一様ではなく、第１の部分１５ａおよび第２の部分１５ｂからなる深浅２つの段状に形成されているため、カシメ部１４の収納のために第１の部分１５ａを第２の部分１５ｂより深くしても、第１の部分１５ａは配線収納部１５の一部に過ぎず、床暖房パネル１の強度を十分に確保することができる。
【００２２】
また、配線収納部１５の第１の部分１５ａは、カシメ部１４の外形に沿った形状を有しているので、平面形状の面積が最小となっており、彫り込みの深い第１の部分１５ａの形成が最小限に抑えられている。このため、床暖房パネル１の強度はより一層十分に確保される。
【００２３】
さらに、床暖房パネル１では、裏面材１６は厚さ２．０ｍｍ以上のものであるので、電気用品安全法に規定されている、配線の芯材部分（充電部）からの空間絶縁距離２ｍｍという要件を満たすことができる。床暖房パネル１は、電源供給配線１３および送り配線９において金属製の芯材部分が樹脂により被覆されるとともに、裏面材１６によって絶縁された二重絶縁構造を実現する。このような二重絶縁構造は、印加電圧が１５０Ｖ以上の電気製品に要求されるものであり、このことも含め、床暖房パネル１は、安全性に優れた実用的なものとして提供される。
【００２４】
なお、本発明の床暖房パネルは、基材、表面材および裏面材の材質、ヒータの構成および構造などの細部について様々な態様が可能であり、上記実施形態に限定されるものではない。
【符号の説明】
【００２５】
１  床暖房パネル
２  基材
３  表面材
６  ＰＴＣヒータ
７  ヒータ収納部
９  送り配線
１３  電源供給配線
１４  カシメ部
１５  配線収納部
１５ａ  第１の部分
１５ｂ  第２の部分
１６  裏面材
【図１】
2010255927.tif 000003
【図２】
2010255927.tif 000004
【図３】
2010255927.tif 000005
【図４】
2010255927.tif 000006
【図５】
2010255927.tif 000007